(57)【特許請求の範囲】
【請求項１】
灯具本体と、
前記灯具本体を支持する枠体と、
前記枠体を取付位置に固定する複数の取付バネと
を備え、
前記取付バネは、
前記枠体の縁部に支持される第１端部と、
前記枠体の外部に位置する第２端部と、
前記第１端部から延びて前記枠体の内部に位置するインナーアーム部と、
前記第２端部から延びて前記枠体の外部に位置するアウターアーム部と、
前記インナーアーム部と前記アウターアーム部とを結合する結合部と
を有し、
前記インナーアーム部は、前記第１端部から前記枠体の内壁面に沿って前記結合部まで延びており、
前記取付バネは、前記枠体の内部を経由して前記枠体の前記縁部に支持される、照明器具。
【請求項２】
前記枠体は、前記複数の取付バネに対応して、前記枠体の外壁面から内壁面まで貫通する複数の開口を有し、
前記取付バネの前記結合部は、前記開口を通る、請求項１に記載の照明器具。
【請求項３】
前記取付バネの前記第１端部は、鉤状の第１鉤部を含む、請求項１又は請求項２に記載の照明器具。
【請求項４】
前記第１鉤部は、前記枠体に向かって突出する爪部を含む、請求項３に記載の照明器具。
【請求項５】
前記アウターアーム部には、係合孔が形成され、
前記第１鉤部は、前記係合孔に係合される鉤状の第２鉤部を含む、請求項３又は請求項４に記載の照明器具。
【請求項６】
前記枠体の内部に固定され、前記灯具本体が出射した光を反射する反射部材をさらに備え、
前記取付バネは、
前記枠体の内部に位置し、前記反射部材を前記枠体に固定する固定部をさらに有する、請求項１から請求項５のいずれか１項に記載の照明器具。
【請求項７】
前記インナーアーム部の幅は、前記アウターアーム部の幅より小さい、請求項１から請求項６のいずれか１項に記載の照明器具。
【請求項８】
前記取付バネの前記第１端部は、前記灯具本体と前記枠体の前記縁部とで挟まれる、請求項１から請求項７のいずれか１項に記載の照明器具。
【発明の詳細な説明】
【技術分野】
【０００１】
本発明は、照明器具に関する。
【背景技術】
【０００２】
特許文献１に記載された埋込型機器の取付装置は取付バネを有する。取付バネは取付装置のバネ取付部に差し込まれて取付装置に取り付けられる。取付装置に取り付けられた取付バネを折り曲げ、天井に設けた埋込孔に取付装置を挿入した後、取付バネの復元力によって埋込孔に取付装置を取付ける。
【先行技術文献】
【特許文献】
【０００３】
【特許文献１】特開平９−１３４６１１号公報
【発明の概要】
【発明が解決しようとする課題】
【０００４】
しかしながら、特許文献１に記載された取付装置では、バネ取付部は、取付装置の外壁に形成され、外側壁、バネ係止部、取付背板、取付ガイド、及び突起部を有する。従って、バネ取付部の構造が複雑である。
【０００５】
本発明は上記課題に鑑みてなされたものであり、その目的は、簡素な構造により取付バネを装着できる照明器具を提供することにある。
【課題を解決するための手段】
【０００６】
本願に開示する照明器具は、灯具本体と、前記灯具本体を支持する枠体と、前記枠体を取付位置に固定する複数の取付バネとを備える。前記取付バネは、第１端部と、第２端部と、インナーアーム部と、アウターアーム部と、結合部とを有する。第１端部は、前記枠体の縁部に支持される。第２端部は、前記枠体の外部に位置する。インナーアーム部は、前記第１端部から延びて前記枠体の内部に位置する。アウターアーム部は、前記第２端部から延びて前記枠体の外部に位置する。結合部は、前記インナーアーム部と前記アウターアーム部とを結合する。
【０００７】
本願に開示する照明器具において、前記枠体は、前記複数の取付バネに対応して、前記枠体の外壁面から内壁面まで貫通する複数の開口を有することが好ましい。前記取付バネの前記結合部は、前記開口を通ることが好ましい。
【０００８】
本願に開示する照明器具において、前記取付バネの前記第１端部は、鉤状の第１鉤部を含むことが好ましい。
【０００９】
本願に開示する照明器具において、前記第１鉤部は、前記枠体に向かって突出する爪部を含むことが好ましい。
【００１０】
本願に開示する照明器具において、前記アウターアーム部には、係合孔が形成されることが好ましい。前記第１鉤部は、前記係合孔に係合される鉤状の第２鉤部を含むことが好ましい。
【００１１】
本願に開示する照明器具は、反射部材をさらに備えることが好ましい。反射部材は、前記枠体の内部に固定され、前記灯具本体が出射した光を反射する。前記取付バネは、固定部をさらに有することが好ましい。固定部は、前記枠体の内部に位置し、前記反射部材を前記枠体に固定する。
【００１２】
本願に開示する照明器具において、前記インナーアーム部の幅は、前記アウターアーム部の幅より小さいことが好ましい。
【００１３】
本願に開示する照明器具において、前記取付バネの前記第１端部は、前記灯具本体と前記枠体の前記縁部とで挟まれることが好ましい。
【発明の効果】
【００１４】
本発明によれば、簡素な構造により取付バネを装着できる。
【図面の簡単な説明】
【００１５】
【図１】本発明の実施形態に係る照明器具の正面側を示す斜視図である。
【図２】本発明の実施形態に係る照明器具の背面側を示す斜視図である。
【図３】本発明の実施形態に係る照明器具の灯具本体を示す斜視図である。
【図４】本発明の実施形態に係る照明器具を示す分解斜視図である。
【図５】本発明の実施形態に係る照明器具の取付バネを示す斜視図である。
【図６】本発明の実施形態に係る照明器具の枠体を示す斜視図である。
【図７】本発明の実施形態に係る照明器具の取付バネを配置した枠体を示す斜視図である。
【図８】本発明の実施形態に係る照明器具の取付バネを装着した枠体を示す断面図である。
【図９】図８の取付バネの第１端部の近傍を示す拡大断面図である。
【図１０】本発明の実施形態に係る照明器具の取付状態を示す断面図である。
【図１１】（ａ）本発明の実施形態に係る第１変形例に係る照明器具の取付バネを示す斜視図である。（ｂ）本発明の実施形態の第１変形例に係る照明器具を説明する断面図である。
【図１２】（ａ）本発明の実施形態の第２変形例に係る照明器具の取付バネを示す斜視図である。（ｂ）本発明の実施形態に係る第２変形例に係る照明器具を説明する断面図である。
【図１３】本発明の実施形態の第３変形例に係る照明器具の取付バネを示す斜視図である。
【図１４】本発明の実施形態の第３変形例に係る照明器具を説明する断面図である。
【発明を実施するための形態】
【００１６】
以下、本発明の実施形態について、図面を参照しながら説明する。なお、図中、同一または相当部分については同一の参照符号を付して説明を繰り返さない。本発明の実施形態において、Ｘ軸、Ｙ軸、及びＺ軸は互いに直交し、Ｘ軸及びＹ軸は水平面に平行であり、Ｚ軸は鉛直線に平行である。
【００１７】
図１及び図２は、それぞれ、本発明の実施形態に係る照明器具１００の正面側及び背面側を示す斜視図である。照明器具１００の正面は、照明器具１００が光を出射する側である。図３は、照明器具１００の灯具本体１を示す斜視図である。
【００１８】
図１〜図３に示すように、照明器具１００は、灯具本体１と、灯具本体１を支持する枠体３と、枠体３を建造物の取付位置に固定する複数の取付バネ５と、灯具本体１が出射した光を反射する反射部材７とを備える。灯具本体１はヒートシンク９及び光源ユニット１１を含む。ヒートシンク９は複数のフィン１０を含む。灯具本体１は、ヒートシンク９が露出するように、反射部材７の固定された枠体３の上方から枠体３に挿入され、枠体３に固定される。なお、本実施形態では、照明器具１００は３個の取付バネ５を備えるが、取付バネ５の数は２以上の複数であればよい。
【００１９】
図１〜図４を参照して、照明器具１００の各構成について詳細に説明する。図４は、照明器具１００を示す分解斜視図である。図１〜図４に示すように、ヒートシンク９は光源ユニット１１の上部に固定される。ヒートシンク９は、複数のフィン１０によって放熱し、光源モジュール２３の温度上昇を抑制する。ヒートシンク９は、伝熱性の高い材料で形成されており、例えば金属で形成されていることが好ましい。金属の中でも、成形加工の容易性や照明器具１００の軽量化を考慮し、例えばアルミニウムまたはアルミニウム合金で形成されていることが好ましい。
【００２０】
光源ユニット１１は、光源モジュール２３、ハウジング２５、及び拡散部材２７を含む。光源モジュール２３は、発光素子アレイ２８及び基板２９を含む。光源モジュール２３は、ヒートシンク９の底部に固定される。発光素子アレイ２８は、複数の発光素子を含み、基板２９の実装面に実装される。本実施形態では、発光素子アレイ２８は、ＬＥＤ（Ｌｉｇｈｔ  Ｅｍｉｔｔｉｎｇ  Ｄｉｏｄｅ）アレイであり、複数のＬＥＤを含む。本実施形態では、発光素子アレイ２８は、複数のＬＥＤを蛍光体で封止することにより形成されるＣＯＢ（Ｃｈｉｐ  ｏｎ  Ｂｏａｒｄ）タイプである。なお、発光素子アレイ２８は、ＬＥＤと蛍光体とを１ユニット化してＬＥＤチップを形成し、複数のＬＥＤチップを基板２９の実装面に載置して基板２９の導電パターンに電気的に接続するＳＭＤ（Ｓｕｒｆａｃｅ  Ｍｏｕｎｔ  Ｄｅｖｉｃｅ）タイプであってもよい。
【００２１】
基板２９の実装面の裏面はヒートシンク９の底部に接している。従って、光源モジュール２３が発した熱は、ヒートシンク９に伝達され、ヒートシンク９によって効果的に放散される。その結果、光源モジュール２３の異常な温度上昇を抑制できる。
【００２２】
ハウジング２５は、光源モジュール２３を覆うように、ヒートシンク９の底部に固定される。ハウジング２５は、枠体３の上縁に対応して、円形の帯状の挟み部２４を有する。挟み部２４については後述する。ハウジング２５の内部には、円錐台状の反射部が形成される。反射部の上部には円状の小径の開口が形成され、反射部の下部には円状の大径の開口が形成される。発光素子アレイ２８から出射した光は、反射部の小径の開口から入射し、反射部によって反射された光と小径の開口を通った直接光とが、反射部の大径の開口から出射される。ハウジング２５のうち少なくとも反射部は、発光素子アレイ２８から出射される光を効率良く反射するために、白色塗装、銀色塗装、又は光沢のある金属メッキなどの反射加工が施されていることが好ましい。ハウジング２５の素材が白色又は銀色等の光反射率の高い色彩を有していてもよい。
【００２３】
拡散部材２７は、円板状であり、ハウジング２５の反射部の大径の開口、つまり、ハウジング２５の先端の円状の開口２６を覆う位置でハウジング２５に固定される。拡散部材２７は、発光素子アレイ２８から出射した光及びハウジング２５の反射部から反射した光を拡散して、光源ユニット１１の下方に出射する。例えば、拡散部材２７は、光拡散材料を混ぜた樹脂を板状に成形することによって形成される。例えば、拡散部材２７は、透明の板状部材の光出射面又は光入射面に微小な凹凸を設けることによって形成される。
【００２４】
図５〜図９を参照して、取付バネ５及び枠体３の詳細について説明する。図５は、取付バネ５を示す斜視図である。取付バネ５は、弾性を有する金属製である。取付バネ５は、薄板状部材を曲げ加工することにより成形される。取付バネ５は、第１端部５１と、第２端部５２と、インナーアーム部５３と、アウターアーム部５４と、結合部５５とを有する。第１端部５１は鉤状の第１鉤部５６を含む。第１鉤部５６は第１突出部５７及び第１引掛部５８を含む。第１突出部５７は、インナーアーム部５３の先端から第２端部５２の側に略９０度折れ曲がって突出している。第１引掛部５８は、第１突出部５７の先端から結合部５５の側に略９０度折れ曲がって突出している。第１引掛部５８とインナーアーム部５３とは略面平行である。
【００２５】
インナーアーム部５３は、平板状であり、第１端部５１から延びている。アウターアーム部５４は第２端部５２から延びている。インナーアーム部５３の幅Ｗ１は、アウターアーム部５４の幅Ｗ２より小さい。アウターアーム部５４は傾斜部５９及び屈曲部６０を含む。傾斜部５９はインナーアーム部５３に対して傾斜している。屈曲部６０は略Ｖ字状に屈曲している。結合部５５は、平板状であり、インナーアーム部５３とアウターアーム部５４とを結合する。本実施形態では、結合部５５の幅は、インナーアーム部５３の幅Ｗ１と略同一である。
【００２６】
図６は、枠体３を示す斜視図である。枠体３は円筒状である。本実施形態では、枠体３は、金属製であるが、セラミック製、合成樹脂製、又は木製等でもよい。枠体３の下部には鍔部３２が形成される。枠体３は、３個の取付バネ５（図１）に対応して、３つの開口３１を有する。開口３１の幅Ｗ５は、インナーアーム部５３及び結合部５５の幅Ｗ１より大きく、アウターアーム部５４の幅Ｗ２より小さい。なお、開口３１の数は、取付バネ５の数に応じて変更される。開口３１は、枠体３の外壁面３４から枠体３の内壁面３５まで貫通する。本実施形態では、開口３１は矩形状である。
【００２７】
枠体３の上部には、３つの第１上縁部３３（縁部）、２つの第２上縁部３６、及び複数の第３上縁部３８が円状に形成される。３つの第１上縁部３３は、３個の取付バネ５に対応して略等間隔で形成される。第１上縁部３３は、第３上縁部３８に対して比較的浅い凹状である。なお、第１上縁部３３の数は、取付バネ５の数に応じて任意の個数とすることができる。２つの第２上縁部３６は対向する。第２上縁部３６は、第３上縁部３８に対して凹状である。第２上縁部３６には凹部３７が形成される。複数の第３上縁部３８には、ハウジング２５（図４）の挟み部２４が当接される。
【００２８】
図７は、取付バネ５を配置した枠体３を示す斜視図である。図８は、取付バネ５を装着した枠体３を示す断面図である。図９は、図８の取付バネ５の第１端部５１の近傍を示す拡大断面図である。なお、図８及び図９では、灯具本体１の固定された枠体３が示され、図面の簡略化のため、取付バネ５の断面を示す斜線及び反射部材７（図４）を省略している。
【００２９】
図７に示すように、取付バネ５は、枠体３の外部から開口３１を通して枠体３の内部に挿入され、枠体３に支持される。
【００３０】
図８に示すように、取付バネ５の第１端部５１は枠体３の第１上縁部３３に支持される。インナーアーム部５３は、枠体３の内部に位置し、第１端部５１から内壁面３５に沿って下方に延びる。結合部５５は、インナーアーム部５３の基端から斜め下方に傾斜し、開口３１を通り、インナーアーム部５３とアウターアーム部５４とを結合する。結合部５５は開口３１に位置する。アウターアーム部５４は、枠体３の外部に位置し、結合部５５の下端から斜め下方に延び、略Ｖ字状に屈曲して、第２端部５２まで斜め上方に延びている。第２端部５２は枠体３の外部に位置する。
【００３１】
図９に示すように、取付バネ５の第１端部５１は灯具本体１と枠体３の第１上縁部３３とで挟まれる。その結果、取付バネ５が、第１上縁部３３から抜けることが防止され、枠体３に装着される。
【００３２】
具体的には、灯具本体１と第１上縁部３３とによる第１端部５１の挟み込みに先だって、取付バネ５の第１鉤部５６は枠体３の第１上縁部３３に係合される。その結果、第１突出部５７が、第１上縁部３３に当接し、枠体３の内部から外部に向かって突出する。加えて、第１引掛部５８が第１上縁部３３に引っ掛かる。その結果、取付バネ５が枠体３に仮止めされる。また、第１引掛部５８の内面とインナーアーム部５３の内面との間の幅Ｗ３は、枠体３の壁厚Ｗ４より大きい。従って、取付バネ５の第１端部５１には遊びが付与される。さらに、仮止めされた取付バネ５の第１突出部５７は、ハウジング２５の挟み部２４と第１上縁部３３とで挟まれる。その結果、取付バネ５が枠体３に装着される。本実施形態では、第１上縁部３３は凹状であるため、第１突出部５７と挟み部２４との間には微小の隙間が形成される。なお、挟み部２４は第１突出部５７に密着してもよい。
【００３３】
ここで、第１上縁部３３の上端面と第３上縁部３８の上端面との高低差（つまり、第３上縁部３８に対する第１上縁部３３の深さ）をαと記載し、取付バネ５の第１突出部５７の厚さをβと記載し、第１引掛部５８の短手方向の長さ（つまり、第１引掛部５８の略鉛直方向の長さ）をγと記載する。高低差α、厚さβ、及び長さγは、β≦α＜γの関係を満足する。
【００３４】
β≦αであるため、第１突出部５７は、第３上縁部３８と面一であるか、第３上縁部３８よりも下方に位置する。従って、第１突出部５７が第３上縁部３８から突出しない。その結果、灯具本体１の姿勢が安定する。また、α＜γであるため、第１鉤部５６が第１上縁部３３から外れることを防止できる。
【００３５】
図１、図４、図６、及び図７を参照して、反射部材７、並びに反射部材７に関連する部材及び部位について説明する。図１及び図４に示すように、反射部材７は円錐台状の反射部８を有する。発光素子アレイ２８が出射し、拡散部材２７が拡散した光の一部が反射部８によって反射される。反射部材７のうち少なくとも反射部８は、拡散部材２７の拡散した光を効率良く反射するために、白色塗装、銀色塗装、又は光沢のある金属メッキなどの反射加工が施されていることが好ましい。反射部材７の素材が白色又は銀色等の光反射率の高い色彩を有していてもよい。例えば、反射部材７は反射鏡である。
【００３６】
図４に示すように、照明器具１００は、反射部材７を枠体３に固定する複数の固定バネ２１をさらに備える。なお、本実施形態では、照明器具１００は２個の固定バネ２１を備えるが、固定バネ２１の数は２以上の複数であればよい。図６に示すように、枠体３の２つの第２上縁部３６は、２個の固定バネ２１に対応して形成される。なお、第２上縁部３６の数は、固定バネ２１の数に応じて任意の個数とすることができる。
【００３７】
図７に示すように、固定バネ２１は、略Ｖ字状に屈曲しており、先端部６１及び基端部６２を有する。基端部６２は、断面略Ｕ字状であり、第２上縁部３６を挟む。さらに、基端部６２には第１爪部６３が形成され、第１爪部６３は第２上縁部３６の凹部３７に引っ掛けられる。その結果、固定バネ２１が枠体３に固定される。２個の固定バネ２１は互いに対向する。反射部材７（図４）は、固定バネ２１の弾性力に抗して固定バネ２１を弾性変形させながら、枠体３の下方から枠体３に挿入される。その結果、反射部材７の外壁面が２つの固定バネ２１の２つの先端部６１によって付勢され、反射部材７が枠体３の内部に固定される。
【００３８】
図１０を参照して、照明器具１００の建造物への取付けについて説明する。図１０は、建造物に取り付けられた照明器具１００を示す断面図である。なお、図１０では、枠体３、取付バネ５、及び天井としてのボードＲＢの断面が示される。また、灯具本体１及び反射部材７については、簡略化した側面が示される。
【００３９】
３個の取付バネ５が枠体３をボードＲＢに固定することによって、照明器具１００は、ボードＲＢに取り付けられる。具体的には、ボードＲＢには、枠体３の形状に対応して円状の取付孔ＲＨが形成される。取付孔ＲＨは、ボードＲＢにおいて、枠体３の取付位置、つまり、照明器具１００の取付位置に形成される。取付孔ＲＨの直径は、枠体３の直径よりも大きく、鍔部３２の直径よりも小さい。
【００４０】
照明器具１００は、鍔部３２がボードＲＢに当接するまで取付孔ＲＨに挿入される。そして、ボードＲＢは、各取付バネ５の弾力によって、３個の取付バネ５と鍔部３２とで強く挟まれる。従って、枠体３がボードＲＢに固定される。その結果、照明器具１００がボードＲＢに取り付けられる。
【００４１】
以上、図７及び図８を参照して説明したように、本実施形態によれば、取付バネ５は、インナーアーム部５３を有し、枠体３の内部を経由して枠体３の第１上縁部３３に支持される。従って、従来のような複雑な構造のバネ取付部を枠体３に形成することなく、簡素な構造により取付バネ５を枠体３に装着できる。
【００４２】
また、本実施形態によれば、取付バネ５はインナーアーム部５３を有しているため、従来のような枠体の外壁にバネ取付部が形成される場合と比較して、枠体３の径方向への取付バネ５の移動が枠体３によって規制され難い。つまり、本実施形態では、照明器具１００には、枠体３の径方向への取付バネ５の逃げが設けられる。なお、枠体３の径方向は、枠体３の中心線に直交する方向であり、枠体３の外部から枠体３の中心線に向かう方向を示す。
【００４３】
取付バネ５の逃げを設けているため、照明器具１００の取付時において、取付バネ５は取付孔ＲＨの内径の加工バラツキに応じて枠体３の内部に押し込まれ、取付バネ５からボードＲＢへの押圧力が取付孔ＲＨの内径の加工バラツキに応じて調整され得る。従って、取付孔ＲＨの内径の加工バラツキが発生したとしても、ボードＲＢの破損を抑制しつつ照明器具１００の取付強度を確保できる。特に、図９を参照して説明したように、取付バネ５の第１端部５１に遊びを付与することで、取付バネ５の逃げがさらに効果的に機能する。
【００４４】
一般的に、取付孔ＲＨはボードＲＢの製造工場で開口及び加工されるものではなく、ボードＲＢを住宅等の建造物に施工した後に大工又は照明器具施工業者等の作業者が電動カッター等の道具を使って手作業で取付孔ＲＨを開口及び加工する。手作業であるため、取付孔ＲＨの内径にバラツキが生じたり、取付孔ＲＨが完全な真円にならなかったりする可能性がある。本実施形態では、取付バネ５の逃げによって、手作業による取付孔ＲＨの内径の加工バラツキを吸収して、照明器具１００を適切な強度でボードＲＢに取り付けることができる。
【００４５】
また、取付バネ５の逃げを設けているため、照明器具１００の取付時において、取付バネ５はボードＲＢの性質（例えば、ボードＲＢの厚み及び材質等）に応じて枠体３の内部に押し込まれ、取付バネ５からボードＲＢへの押圧力がボードＲＢの性質に応じて調整され得る。従って、異なる性質のボードＲＢごとに、性質（例えば、形状、材質、寸法、及び弾力等）の異なる取付バネ５を用意することなく、ボードＲＢの破損を抑制しつつ照明器具１００の取付強度を確保できる。特に、図９を参照して説明したように、取付バネ５の第１端部５１に遊びを付与することで、取付バネ５の逃げがさらに効果的に機能する。
【００４６】
さらに、本実施形態によれば、枠体３に開口３１を形成することによって、取付バネ５の逃げを簡易に設けることができる。本実施形態では、照明器具１００の取付時において、取付バネ５は、開口３１を介して、枠体３の内部に押し込まれる。また、開口３１を設けることによって、インナーアーム部５３を簡易に枠体３の内部に位置させることができる。
【００４７】
さらに、本実施形態によれば、取付バネ５の第１端部５１を灯具本体１と枠体３の第１上縁部３３とで挟むことによって、簡素な構造により取付バネ５を枠体３に装着する。その結果、取付バネ５をビスによって枠体３に装着することが要求されないため、部品点数の削減及び組立工数の削減を実現でき、コストを低減できる。
【００４８】
さらに、本実施形態によれば、取付バネ５には第１鉤部５６が形成されている。従って、第１鉤部５６を枠体３の第１上縁部３３に引っ掛けることで、取付バネ５を枠体３に簡易に仮止めすることができる。取付バネ５を仮止め可能にすることにより、照明器具１００の組立作業を容易化できる。
【００４９】
また、図５を参照して説明したように、本実施形態によれば、インナーアーム部５３の幅Ｗ１はアウターアーム部５４の幅Ｗ２より小さい。インナーアーム部５３はアウターアーム部５４よりも細いので、照明器具１００の取付時において、取付バネ５を容易に折り曲げることができる。従って、照明器具１００を取付孔ＲＨに容易に挿入でき、照明器具１００の取付作業が容易になる。加えて、アウターアーム部５４はインナーアーム部５３よりも太いので、強い弾力によって照明器具１００の取付強度を確保できる。
【００５０】
さらに、図５及び図６を参照して説明したように、開口３１の幅Ｗ５は、インナーアーム部５３及び結合部５５の幅Ｗ１より大きく、アウターアーム部５４の幅Ｗ２より小さい。従って、アウターアーム部５４が枠体３の内部に入り込むことを防止でき、取付バネ５の弾力によって、照明器具１００をボードＲＢに取り付けることができる。
【００５１】
次に、図１１〜図１４を参照して、本発明の実施形態の第１変形例〜第３変形例について説明する。以下、第１変形例〜第３変形例に係る照明器具１００と図１〜図１０を参照して説明した本実施形態に係る照明器具１００との相違点を主に説明する。
【００５２】
［第１変形例］
図１１（ａ）は、第１変形例に係る照明器具１００の取付バネ５を示す斜視図である。図１１（ｂ）は、第１変形例に係る照明器具１００を説明する断面図である。なお、図１１（ｂ）では、灯具本体１の固定された枠体３が示され、図面の簡略化のため、取付バネ５の断面を示す斜線を省略している。
【００５３】
図１１（ａ）に示すように、第１変形例に係る取付バネ５は、固定部６４を有している点で、図５に示す取付バネ５の構造と異なる。各取付バネ５の固定部６４は、インナーアーム部５３に対してアウターアーム部５４の反対側において、インナーアーム部５３の下部から斜め上方に延びる。図１１（ｂ）に示すように、各取付バネ５の固定部６４は枠体３の内部に位置する。そして、各取付バネ５の固定部６４は、枠体３の内部に位置する反射部材７を反射部材７の外部から内部に向かって付勢し、反射部材７を枠体３に固定する。
【００５４】
本実施形態の第１変形例によれば、取付バネ５には反射部材７を固定する固定部６４が形成される。従って、反射部材７を枠体３に固定するための固定バネを別部材として設ける場合と比較して、部品点数の削減及び組立工数を削減でき、コストを低減できる。
【００５５】
［第２変形例］
図１２（ａ）は、第２変形例に係る照明器具１００の取付バネ５を示す斜視図である。図１２（ｂ）は、第２変形例に係る照明器具１００を説明する断面図である。なお、図１２（ｂ）では、図面の簡略化のため、取付バネ５の断面を示す斜線を省略している。
【００５６】
図１２（ａ）に示すように、第２変形例に係る取付バネ５は、第１鉤部５６が第２爪部６９（爪部）を有する点で、図４に示す取付バネ５の構造と異なる。第１鉤部５６の第１引掛部５８には、第２爪部６９が形成される。第２爪部６９は、インナーアーム部５３に向かって斜め上方に突出する。図１２（ｂ）に示すように、第２爪部６９は枠体３に向かって突出しているため、第１鉤部５６が第１上縁部３３に係合されると、第２爪部６９は枠体３の外壁面３４を押圧する。その結果、取付バネ５が枠体３に仮止めされる。
【００５７】
本実施形態の第２変形例によれば、第２爪部６９を設けることで、簡素な構造により、さらに確実に取付バネ５を枠体３に仮止めできる。従って、照明器具１００の組立作業をさらに容易化できる。なお、外壁面３４における第２爪部６９が接する位置に、微小な凹凸又は微小な凹凸よりも深い凹部（例えば溝）などを設けることにより、第２爪部６９が外壁面３４に引っ掛かり易くなり、好ましい。
【００５８】
［第３変形例］
図１３は、第３変形例に係る照明器具１００の取付バネ５を示す斜視図である。第３変形例に係る取付バネ５は、第１鉤部５６が第２鉤部６６を有すると伴にアウターアーム部５４に係合孔６５が形成される点で、図４に示す取付バネ５の構造と異なる。
【００５９】
第１引掛部５８の下端に第２鉤部６６が形成される。第２鉤部６６は第２突出部６７及び第２引掛部６８を含む。第２突出部６７は、第１引掛部５８の先端から第２端部５２の側に略９０度折れ曲がって突出している。第２引掛部６８は、第２突出部６７の先端から結合部５５の側に略９０度折れ曲がって突出している。第２引掛部６８とインナーアーム部５３とは略面平行である。アウターアーム部５４の傾斜部５９には、第２鉤部６６に対応して、係合孔６５が形成される。本実施形態では、係合孔６５は矩形状である。
【００６０】
図１４は、第３変形例に係る照明器具１００を説明する断面図である。なお、図１４では、灯具本体１の固定された枠体３が示され、図面の簡略化のため、取付バネ５の断面を示す斜線及び反射部材７（図４）を省略している。まず、照明器具１００を取付孔ＲＨに挿入する前に、第２鉤部６６の第２引掛部６８を係合孔６５に係合させる。第２引掛部６８が係合孔６５に係合された照明器具１００を取付孔ＲＨに挿入すると、取付バネ５がボードＲＢに当接する。
【００６１】
取付バネ５がボードＲＢに当接した状態からさらに照明器具１００を挿入方向（つまり、天井裏に向かう略鉛直方向）へ移動させると、取付バネ５の屈曲部６０がボードＲＢによって矢印Ａ１の示す方向（つまり、枠体３に向かう略水平方向）に押される。屈曲部６０が矢印Ａ１の示す方向に押されると、傾斜部５９及びその近傍部分が矢印Ａ２に示す方向（つまり、鍔部３２に向かう略鉛直方向）へ下降し、下降に伴い係合孔６５が矢印Ａ２の示す方向に下降する。係合孔６５の下端が第２引掛部６８の下端よりも下方に位置する状態まで傾斜部５９が下降すると第２引掛部６８が係合孔６５から離脱可能となり、アウターアーム部５４が変形前の形状に復元するのに伴い第２引掛部６８が係合孔６５から外れる。その結果、図１４において、二点鎖線で示されるように、取付バネ５と鍔部３２とでボードＲＢが挟まれ、照明器具１００がボードＲＢに取り付けられる。
【００６２】
本実施形態の第３変形例によれば、第２鉤部６６を係合孔６５に引っ掛けることによって、簡素な構造により、アウターアーム部５４を仮止めすることができる。従って、照明器具１００を取付孔ＲＨに容易に挿入できる。その結果、照明器具１００の取付作業が容易になる。
【００６３】
以上、図面（図１〜図１４）を参照しながら本発明の実施形態について説明した。但し、本発明は、上記の実施形態及び変形例に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる場合もある。また、上記の実施形態で示す各構成要素の形状、寸法等は一例であって、特に限定されるものではなく、本発明の効果から実質的に逸脱しない範囲で種々の変更が可能である。
【００６４】
（１）取付バネ５がインナーアーム部５３を有する限り、取付バネ５の形状は、図５に示す形状に限定されない。取付バネ５に第１引掛部５８は設けなくてもよい。枠体３は、円筒状に限定されず、例えば、多角筒状でもよい。灯具本体１にヒートシンク９は設けなくてもよい。
【００６５】
（２）枠体３に開口３１を設けて、インナーアーム部５３を枠体３の内部に位置させたが、インナーアーム部５３を枠体３の内部に位置させる構成は特に限定されない。例えば、枠体３の鍔部３２の一部を切り欠いて、枠体３の下縁を経由して、インナーアーム部５３を枠体３の内部に位置させてもよい。
【００６６】
この変形例では、灯具本体１の外形、特に、枠体３の外径を大きくすることができ、設計の自由度が高まる。すなわち、この変形例では、枠体３の外壁面３４に取付バネ５がほとんど配置されないため、取付孔ＲＨと枠体３との隙間を小さくすべく枠体３の外径を大きくすることができる。枠体３の外径を大きくすることで枠体３の内部空間を拡大できる。従って、枠体３の内部に収納する部品及び／又は部材の配置の自由度が高まったり、反射部材７の開口内径を大きくすることができる。
【００６７】
（３）第１変形例と第２変形例との組合せ、第１変形例と第３変形例との組合せ、第２変形例と第３変形例との組合せ、及び第１変形例と第２変形例と第３変形例との組合せも可能である。
【００６８】
（４）光源ユニット１１の光照射方向は、一定であったが、可変であってもよい。例えば、照明器具１００は、ユニバーサルダウンライトであってもよい。この場合、枠体３は灯具本体１を回転自在に支持する。従って、灯具本体１を回転操作することによって、光源ユニット１１の光照射方向を変更できる。
【００６９】
この変形例でも、取付バネ５の逃げを設けているため、灯具本体１を回転操作した時に枠体３に回転方向の負荷がかかったとしても、取付バネ５は負荷に応じて枠体３の内部に押し込まれ、取付バネ５からボードＲＢへの押圧力が負荷に応じて調整され得る。その結果、取付バネ５によってボードＲＢの破損を抑制しつつ照明器具１００の取付強度を確保できる。
【産業上の利用可能性】
【００７０】
本発明は、建造物に取り付けられる照明器具の分野に利用可能である。
【符号の説明】
【００７１】
１    灯具本体
３    枠体
５    取付バネ
７    反射部材
３１    開口
３３    第１上縁部（縁部）
３４    外壁面
３５    内壁面
３６    第２上縁部
３８    第３上縁部
５１    第１端部
５２    第２端部
５３    インナーアーム部
５４    アウターアーム部
５５    結合部
５６    第１鉤部
５７    第１突出部
５８    第１引掛部
６３    第１爪部
６４    固定部
６５    係合孔
６６    第２鉤部
６７    第２突出部
６８    第２引掛部
６９    第２爪部
１００    照明器具
【図１】
0006435579.tif 000002
【図２】
0006435579.tif 000003
【図３】
0006435579.tif 000004
【図４】
0006435579.tif 000005
【図５】
0006435579.tif 000006
【図６】
0006435579.tif 000007
【図７】
0006435579.tif 000008
【図８】
0006435579.tif 000009
【図９】
0006435579.tif 000010
【図１０】
0006435579.tif 000011
【図１１】
0006435579.tif 000012
【図１２】
0006435579.tif 000013
【図１３】
0006435579.tif 000014
【図１４】
0006435579.tif 000015